(57)【要約】【課題】ケーブル抜けが発生するのを防止することができ、電源コネクタと電源ケーブルとを確実に連結することができるようにする。【解決手段】電源ケーブル３７と、電源コネクタ３０と、電源コネクタ３０と対向する位置に、電源ケーブル３７を挿入するための開口部４１が形成された筐体と、開口部４１を開閉するシャッタ部材５０とを有する。電源ケーブル３７に第１の係合部が、シャッタ部材５０に第２の係合部が形成され、電源コネクタ３０と電源ケーブル３７とが連結された状態で、第１の係合部と第２の係合部とが係合させられる。電源コネクタ３０と電源ケーブル３７とが連結された状態で、第１の係合部と第２の係合部とが係合させられるので、ケーブル抜けが発生するのを防止することができる。【選択図】図１
2013114176.tif 000002
【特許請求の範囲】
【請求項１】
（ａ）電源ケーブルと、
（ｂ）装置本体内に配設された電源コネクタと、
（ｃ）該電源コネクタと対向する位置に、前記電源ケーブルを挿入するための開口部が形成された筐体と、
（ｄ）前記開口部を開閉するシャッタ部材とを有するとともに、
（ｅ）前記電源ケーブルに第１の係合部が、前記シャッタ部材に第２の係合部が形成され、前記電源コネクタと電源ケーブルとが連結された状態で、第１の係合部と第２の係合部とが係合させられることを特徴とするケーブル抜止め構造。
【請求項２】
前記第１の係合部と第２の係合部とが係合させられた状態で、電源ケーブルの電源コネクタから外れる方向への移動が規制される請求項１に記載のケーブル抜止め構造。
【請求項３】
前記シャッタ部材が開口部を閉じた状態で、前記第１の係合部と第２の係合部とが係合させられる請求項２に記載のケーブル抜止め構造。
【請求項４】
前記シャッタ部材は電源スイッチのオン・オフ動作に連動して前記開口部を開閉する請求項１〜３のいずれか１項に記載のケーブル抜止め構造。
【請求項５】
（ａ）電源ケーブルと、
（ｂ）装置本体内に配設された電源コネクタと、
（ｃ）該電源コネクタと対向する位置に、前記電源ケーブルを挿入するための開口部が形成された筐体と、
（ｄ）前記開口部を開閉するシャッタ部材とを有するとともに、
（ｅ）前記電源ケーブルに第１の係合部が、前記シャッタ部材に第２の係合部が形成され、前記電源コネクタと電源ケーブルとが連結された状態で、第１の係合部と第２の係合部とが係合させられることを特徴とする画像形成装置。
【発明の詳細な説明】
【技術分野】
【０００１】
本発明は、ケーブル抜止め構造及び画像形成装置に関するものである。
【背景技術】
【０００２】
従来、プリンタ、複写機、ファクシミリ、複合機等の画像形成装置、例えば、プリンタにおいては、画像形成ユニット、ＬＥＤヘッド、転写ユニット、定着器等を備え、前記画像形成ユニットは、画像形成ユニットの本体、すなわち、画像形成ユニット本体、及び該画像形成ユニット本体に対して着脱自在に配設されたトナーカートリッジを備え、前記画像形成ユニット本体内には、感光体ドラム、帯電ローラ、現像ローラ、現像ブレード、トナー供給ローラ、クリーニングブレード等が配設されるようになっている。
【０００３】
前記プリンタにおいては、帯電ローラによって一様に帯電させられた感光体ドラムの表面がＬＥＤヘッドによって露光されて、静電潜像が形成される。また、前記トナーカートリッジから画像形成ユニット本体内に供給されたトナーは、トナー供給ローラによって現像ローラに供給され、現像ブレードによって現像ローラ上にトナーの薄層が形成される。そして、現像ローラ上のトナーを、感光体ドラム上の静電潜像に付着させ、該静電潜像を現像することによって感光体ドラム上にトナー像が形成される。続いて、該トナー像は、転写ユニットの転写ローラによって用紙に転写され、定着器において用紙に定着させられて、画像が形成される。
【０００４】
ところで、前記プリンタにおいては、前記感光体ドラム、帯電ローラ、現像ローラ、トナー供給ローラ、転写ローラ等を回転させるためのモータを駆動したり、帯電ローラ、現像ローラ、トナー供給ローラ、転写ローラ等に高圧の電圧を印加したりするために、プリンタの本体、すなわち、装置本体内に電源基板が配設され、該電源基板に電源ケーブルを介して電力が供給されるようになっている。
【０００５】
そのために、装置本体の筐体に電源コネクタが配設され、電源基板と電源コネクタとが装置本体内の接続ケーブルによって接続されるとともに、電源コネクタに結合ピンが、電源ケーブルに結合穴が形成され、結合ピンを結合穴に嵌入することによって、電源コネクタと電源ケーブルとが連結されるようになっている（例えば、特許文献１参照。）。
【先行技術文献】
【特許文献】
【０００６】
【特許文献１】特開２０１１−１４５５５１号公報
【発明の概要】
【発明が解決しようとする課題】
【０００７】
しかしながら、前記従来のプリンタにおいては、プリンタを移動させた際に、電源コネクタと電源ケーブルとの連結が外れてケーブル抜けが発生することがある。
【０００８】
そこで、結合ピンと結合穴との隙間を小さくすることによってケーブル抜けが発生するのを抑制することが考えられるが、結合ピンと結合穴との隙間が小さくなると、結合ピンを結合穴に嵌入する作業が困難になり、嵌入が不十分になり、電源コネクタと電源ケーブルとを確実に連結するのが困難になってしまう。
【０００９】
本発明は、前記従来のプリンタの問題点を解決して、ケーブル抜けが発生するのを防止することができ、電源コネクタと電源ケーブルとを確実に連結することができるケーブル抜止め構造及び画像形成装置を提供することを目的とする。
【課題を解決するための手段】
【００１０】
そのために、本発明のケーブル抜止め構造においては、電源ケーブルと、装置本体内に配設された電源コネクタと、該電源コネクタと対向する位置に、前記電源ケーブルを挿入するための開口部が形成された筐体と、前記開口部を開閉するシャッタ部材とを有する。
【００１１】
そして、前記電源ケーブルに第１の係合部が、前記シャッタ部材に第２の係合部が形成され、前記電源コネクタと電源ケーブルとが連結された状態で、第１の係合部と第２の係合部とが係合させられる。
【発明の効果】
【００１２】
本発明によれば、ケーブル抜止め構造においては、電源ケーブルと、装置本体内に配設された電源コネクタと、該電源コネクタと対向する位置に、前記電源ケーブルを挿入するための開口部が形成された筐体と、前記開口部を開閉するシャッタ部材とを有する。
【００１３】
そして、前記電源ケーブルに第１の係合部が、前記シャッタ部材に第２の係合部が形成され、前記電源コネクタと電源ケーブルとが連結された状態で、第１の係合部と第２の係合部とが係合させられる。
【００１４】
この場合、電源ケーブルに第１の係合部が、シャッタ部に第２の係合部が形成され、電源コネクタと電源ケーブルとが連結された状態で、第１の係合部と第２の係合部とが係合させられるので、ケーブル抜けが発生するのを防止することができ、電源コネクタと電源ケーブルとを確実に連結することができる。
【図面の簡単な説明】
【００１５】
【図１】本発明の第１の実施の形態におけるケーブル抜止め構造の平面図である。
【図２】本発明の第１の実施の形態におけるプリンタの概念図である。
【図３】本発明の第１の実施の形態におけるプリンタの背面を示す斜視図である。
【図４】本発明の第１の実施の形態におけるケーブル抜止め構造の側面図である。
【図５】本発明の第１の実施の形態におけるシャッタ部材の斜視図である。
【図６】本発明の第２の実施の形態におけるケーブル抜止め構造の第１の状態を示す側面図である。
【図７】本発明の第２の実施の形態におけるケーブル抜止め構造の第２の状態を示す側面図である。
【図８】本発明の第２の実施の形態におけるシャッタ部材の斜視図である。
【発明を実施するための形態】
【００１６】
以下、本発明の実施の形態について図面を参照しながら詳細に説明する。この場合、画像形成装置としてのプリンタについて説明する。
【００１７】
図２は本発明の第１の実施の形態におけるプリンタの概念図である。
【００１８】
図において、Ｐｒはプリンタ、Ｃｓは該プリンタＰｒの装置本体の筐体、１０は画像形成ユニット、２１は媒体としての用紙Ｐを収納する媒体収容部としての用紙カセット、２７は定着装置としての定着器である。
【００１９】
前記画像形成ユニット１０は、画像形成ユニット本体１０ａ、及び該画像形成ユニット本体１０ａに対して着脱自在に配設され、現像剤としてのトナーを収容する現像剤収容部としてのトナーカートリッジ１０ｂを備える。
【００２０】
前記画像形成ユニット本体１０ａは、時計回り（矢印方向）に回転自在に配設された像担持体としての感光体ドラム１１、該感光体ドラム１１に当接させて反時計回りに回転自在に配設され、感光体ドラム１１の表面を一様に帯電させる帯電装置としての帯電ローラ１２、前記感光体ドラム１１に当接させて反時計回りに回転自在に配設され、感光体ドラム１１の表面に形成された潜像としての静電潜像にトナーを付着させて現像し、現像剤像としてのトナー像を形成する現像剤担持体としての現像ローラ１４、該現像ローラ１４に当接させて反時計回りに回転自在に配設され、前記トナーカートリッジ１０ｂから供給されたトナーを現像ローラ１４に供給する現像剤供給部材としてのトナー供給ローラ１５、先端を前記現像ローラ１４に当接させて配設され、現像ローラ１４上に均一な現像剤層としてのトナー層を形成する現像剤層規制部材としての現像ブレード１６、感光体ドラム１１上に残留したトナーを回収するクリーニング部材としてのクリーニングブレード１８等を備える。
【００２１】
前記感光体ドラム１１の上方には、感光体ドラム１１と対向させて露光装置としてのＬＥＤヘッド１３が配設され、該ＬＥＤヘッド１３は、感光体ドラム１１の表面を露光して静電潜像を形成する。また、前記感光体ドラム１１の下方には、感光体ドラム１１と対向させて転写部材としての転写ローラ１７が反時計回りに回転自在に配設され、該転写ローラ１７は、感光体ドラム１１に形成されたトナー像を用紙Ｐに転写する。
【００２２】
また、装置本体における画像形成ユニット１０の下方には前記用紙カセット２１が配設され、該用紙カセット２１の前縁に、用紙Ｐを１枚ずつ媒体搬送路Ｒｔに繰り出すための繰出部材としてのホッピングローラ２２が配設される。そして、前記媒体搬送路Ｒｔにおけるホッピングローラ２２より下流側には、搬送ローラ２３、２４及びレジストローラ２５、２６が配設される。
【００２３】
さらに、媒体搬送路Ｒｔにおける前記レジストローラ２５、２６より下流側に、前記画像形成ユニット１０及び転写ローラ１７が、画像形成ユニット１０より下流側に、用紙Ｐに転写されたトナー像を定着させて画像を形成するための前記定着器２７が配設される。該定着器２７は、第１のローラとしての加熱ローラ２７ａ及び第２のローラとしての加圧ローラ２７ｂを備え、加熱ローラ２７ａ及び加圧ローラ２７ｂによって用紙Ｐ上のトナー像が加熱され、加圧される。そして、前記定着器２７より下流側に、用紙Ｐを排出するための排出ローラ対２８が配設される。
【００２４】
次に、前記構成のプリンタＰｒの動作について説明する。
【００２５】
前記画像形成ユニット１０において、感光体ドラム１１が時計回りに回転させられ、感光体ドラム１１の表面が、帯電ローラ１２によって一様に、かつ、負の極性に帯電させられる。そして、前記ＬＥＤヘッド１３によって感光体ドラム１１の表面が照射され、感光体ドラム１１の表面に静電潜像が形成される。
【００２６】
続いて、現像ローラ１４上のトナーが前記静電潜像に付着させられ、静電潜像が現像されてトナー像が形成される。
【００２７】
また、前記用紙カセット２１に収容された用紙Ｐは、ホッピングローラ２２によって１枚ずつ分離させられて繰り出されると、媒体搬送路Ｒｔに沿って、搬送ローラ２３、２４によって搬送され、レジストローラ２５、２６によって斜行が矯正された後、画像形成ユニット１０に送られる。
【００２８】
該画像形成ユニット１０において、用紙Ｐは感光体ドラム１１と転写ローラ１７との間を通過し、このとき、転写ローラ１７によって感光体ドラム１１上のトナー像が用紙Ｐに転写される。なお、転写後に感光体ドラム１１上に残留したトナーは、クリーニングブレード１８によって掻き取られる。
【００２９】
続いて、トナー像が転写された用紙Ｐは、定着器２７に送られ、該定着器２７において、トナー像が加熱され、加圧されて用紙Ｐに定着させられ、画像が形成される。その後、用紙Ｐは、排出ローラ２８によって装置本体外に排出され、スタッカ部Ｓｋに積載される。
【００３０】
ところで、前記感光体ドラム１１、帯電ローラ１２、現像ローラ１４、トナー供給ローラ１５、転写ローラ１７、ホッピングローラ２２、搬送ローラ２３、２４、レジストローラ２５、２６、加熱ローラ２７ａ、加圧ローラ２７ｂ、排出ローラ対２８等を回転させるために、駆動部として、各モータが配設され、該各モータは、モータを駆動するための制御部であるモータ制御部としての図示されないモータ駆動用の回路基板に接続される。
【００３１】
また、前記帯電ローラ１２には、感光体ドラム１１の表面を帯電させるために、現像ローラ１４には、トナーを静電潜像に付着させるために、トナー供給ローラ１５には、トナーを現像ローラ１４に供給するために、転写ローラ１７には、トナー像を用紙Ｐに転写するために、それぞれ所定の電圧が印加され、帯電ローラ１２、現像ローラ１４、トナー供給ローラ１５、転写ローラ１７等は、電圧を印加するための制御部である電圧制御部としての図示されない電圧印加用の回路基板に接続される。
【００３２】
そして、装置本体内において、各回路基板は電源装置としての電源基板４５に接続され、該電源基板４５は接続ケーブル４６を介して第１の連結要素としての電源コネクタ３０に接続される。また、該電源コネクタ３０は第２の連結要素としての電源ケーブル３７を介して図示されない商用電源に接続される。
【００３３】
したがって、電源コネクタ３０と電源ケーブル３７とを連結することによって、前記電源基板４５に電力を供給することができる。
【００３４】
ところで、例えば、図示されない電源スイッチがオンの状態でプリンタＰｒを移動させた際に、電源コネクタ３０と電源ケーブル３７との連結が外れてケーブル抜けが発生することがある。
【００３５】
そこで、本実施の形態においては、ケーブル抜けが発生するのを防止するために、電源コネクタ３０と電源ケーブル３７との連結部にケーブル抜止め構造が配設されるようになっている。
【００３６】
次に、該ケーブル抜止め構造について説明する。
【００３７】
図１は本発明の第１の実施の形態におけるケーブル抜止め構造の平面図、図３は本発明の第１の実施の形態におけるプリンタの背面を示す斜視図、図４は本発明の第１の実施の形態におけるケーブル抜止め構造の側面図、図５は本発明の第１の実施の形態におけるシャッタ部材の斜視図である。
【００３８】
図において、Ｐｒはプリンタ、Ｃｓは筐体であり、該筐体Ｃｓは、前壁Ｐａ、後壁Ｐｂ、第１の側壁Ｐｃ、第２の側壁Ｐｄ及び頂壁Ｐｅを備える。
【００３９】
また、Ｓｋは前記頂壁Ｐｅに形成されたスタッカ部、３０は断面が所定の形状、本実施の形態においては、矩形の形状を有する電源コネクタ、３７は電源ケーブル、４０は、筐体Ｃｓの所定の面、本実施の形態においては、後壁Ｐｂの所定の箇所、本実施の形態においては、下方の一部を箱状に突出させて形成されたカバー部、Ｒｍは該カバー部４０によって形成された連結要素収容室、４１は前記カバー部４０の電源コネクタ３０と対向する位置に形成された開口部、４６は接続ケーブル、５０は、前記連結要素収容室Ｒｍ内において、カバー部４０の前壁４０ａに沿って上下方向に移動自在に配設され、開口部４１を開閉する主開閉部材としてのシャッタ部材である。なお、前記電源コネクタ３０、電源ケーブル３７及びシャッタ部材５０によってケーブル抜止め構造が構成される。
【００４０】
前記電源コネクタ３０内に、第１の結合要素としての図示されない複数の結合ピンが突出させて形成される。また、前記電源ケーブル３７は、断面が所定の形状、本実施の形態においては、矩形の形状を有する結合部４７、該結合部４７と隣接させて形成され、断面が所定の形状、本実施の形態においては、矩形の形状を有するヘッド３７ｘ、該ヘッド３７ｘに接続されたケーブル部３７ｙ等を備え、前記結合部４７内に前記結合ピンが嵌入される第２の結合要素としての図示されない複数の結合穴が形成される。そして、前記ヘッド３７ｘは、結合部４７と隣接させて形成され、断面積が大きい第１部位としての大端部３７ａ、ケーブル部３７ｙと隣接させて形成され、前記大端部３７ａより断面積が小さい第２部位としての小端部３７ｂ、及び前記大端部３７ａと小端部３７ｂとの間に形成され、前端（大端部３７ａ側の端部）から後端（小端部３７ｂ側の端部）にかけて断面積が徐々に小さくされる第１の抜止め部としての、第１の係合部としての、かつ、第３部位としてのテーパ部３７ｃを備える。
【００４１】
なお、該テーパ部３７ｃの前端の断面積と大端部３７ａの後端（テーパ部３７ｃ側の端部）の断面積とが等しくされ、テーパ部３７ｃの後端の断面積と小端部３７ｃの前端（テーパ部３７ｃ側の端部）の断面積とが等しくされる。また、本実施の形態においては、小端部３７ｂも前端（テーパ部３７ｃ側の端部）から後端（ケーブル部３７ｙ側の端部）にかけて断面積が徐々に小さくされる。
【００４２】
前記カバー部４０は、前壁４０ａ、頂壁４０ｂ、底壁４０ｃ、左側（プリンタＰｒの後壁Ｐｂに向かって左側）の側壁４０ｄ及び右側（プリンタＰｒの後壁Ｐｂに向かって右側）の側壁４０ｅを備え、前壁４０ａに前記開口部４１が形成される。また、前記側壁４０ｄ、４０ｅにおける上下方向の複数箇所、本実施の形態においては、３箇所に、シャッタ部材５０を案内する案内部材としての凸部４２が、互いに対向させて突出させて形成される。なお、前記シャッタ部材５０及び凸部４２によってシャッタ機構が形成される。また、本実施の形態においては、シャッタ部材５０を案内する案内部材として、複数の凸部４２が形成されるようになっているが、上下方向に延在させて帯状体を形成することができる。
【００４３】
前記シャッタ部材５０には、シャッタ部材５０を上下方向に移動させることができるように、取手５０ａが連結要素収容室Ｒｍ内から外方に向けて突出させて形成され、操作者が取手５０ａを把持してシャッタ部材５０を第１の位置、すなわち、下位置（図４に示される位置）に置くと、開口部４１を閉じることができ、第２の位置、すなわち、上位置に置くと、開口部４１を開くことができる。なお、シャッタ部材５０に突片５０ｃが、前記取手５０ａと同じ高さの位置で連結要素収容室Ｒｍ内に向けて突出させて形成される。
【００４４】
そして、前記取手５０ａより上方に閉鎖部１０１が、取手５０ａより下方の幅方向における中央に、電源コネクタ３０と電源ケーブル３７とを連結したときに電源ケーブル３７のヘッド３７ｘが収容されるヘッド収容部１０２が、該ヘッド収容部１０２の両側にヘッド保持部１０３が形成される。前記閉鎖部１０１は、開口部４１を閉じたときに開口部４１を十分に覆うことができるように所定の寸法を有する。前記ヘッド保持部１０３は、電源コネクタ３０と連結された電源ケーブル３７を両側から挟むことによって、電源コネクタ３０と電源ケーブル３７との連結が外れてケーブル抜けが発生するのを防止する。
【００４５】
また、シャッタ部材５０における左右の両縁には、上下方向に延在させて薄肉部から成る被案内部５２が形成される。前記シャッタ部材５０を凸部４２によって円滑に案内することができるように、凸部４２と前壁４０ａとの距離をｄ１とし、被案内部５２の厚さをｗ１としたとき、距離ｄ１は厚さｗ１よりわずかに大きくされる。そして、凸部４２と前壁４０ａとの隙間にシャッタ部材５０を誘導することができるように、前記被案内部５２の上端及び下端に、テーパ面から成る誘い込み部５３が形成される。なお、前記凸部４２及び被案内部５２によって摺動案内部が構成される。
【００４６】
前記ヘッド保持部１０３には、ヘッド収容部１０２に臨ませて、ケーブル抜けが発生するのを防止するための第２の抜止め部としての、かつ、第２の係合部としての挟持部５４が上下方向に延在させて形成され、該挟持部５４に係合面としての傾斜面５４ａが形成され、該傾斜面５４ａの下端部には、ヘッド収容部１０２内にヘッド３７ｘを誘導する誘い込み部５５が形成される。なお、前記傾斜面５４ａは、ヘッド収容部１０２の開口面積が、開口部４１に近いほど小さく、開口部４１から離れるほど大きくなるように形成される。また、傾斜面５４ａの傾斜角度と、テーパ部３７ｃの傾斜角度とは等しくされる。
【００４７】
次に、前記構成の抜止め構造の動作について説明する。
【００４８】
まず、初期状態において、操作者が、カバー部４０の開口部４１を閉じているシャッタ部材５０の取手５０ａを把持し、シャッタ部材５０を上方に移動させると、開口部４１が開かれる。
【００４９】
このとき、シャッタ部材５０における左右の両縁に被案内部５２が形成され、被案内部５２の上端及び下端に誘い込み部５３が形成されているので、凸部４２と前壁４０ａとの隙間にシャッタ部材５０を円滑に誘導することができる。
【００５０】
次に、前記開口部４１を開いた状態で、操作者が電源ケーブル３７の結合部４７を連結要素収容室Ｒｍ内に挿入すると、前記電源コネクタ３０内の結合ピンが結合部４７内の結合穴に嵌入され、電源コネクタ３０と電源ケーブル３７とが連結される。
【００５１】
結合ピンの結合穴への嵌入が十分であり、電源コネクタ３０と電源ケーブル３７とが確実に連結されている場合は、操作者がシャッタ部材５０の取手５０ａを把持し、シャッタ部材５０を下方に移動させると、開口部４１が閉じられ、ヘッド収容部１０２内にヘッド３７ｘが収容される。この状態で、前記テーパ部３７ｃと挟持部５４とが係合させられ、電源ケーブル３７の電源コネクタ３０から外れる方向への移動が規制される。なお、テーパ部３７ｃ及び挟持部５４によって移動規制部が構成される。
【００５２】
このとき、傾斜面５４ａの下端部に誘い込み部５５が形成されているので、ヘッド収容部１０２内にヘッド３７ｘを円滑に誘導することができる。
【００５３】
これに対して、結合ピンの結合穴への嵌入が不十分であり、電源コネクタ３０と電源ケーブル３７とが確実に連結されていない場合は、大端部３７ａにヘッド保持部１０３が当たり、シャッタ部材５０を下方に移動させることができず、開口部４１を閉じることができない。
【００５４】
また、電源コネクタ３０と電源ケーブル３７との連結を解除する場合、操作者は、シャッタ部材５０の取手５０ａを把持し、シャッタ部材５０を上方に移動させて開口部４１を開く。この状態で、電源ケーブル３７を引くと、電源コネクタ３０から電源ケーブル３７を抜くことができる。
【００５５】
なお、前記開口部４１を開くことなく電源ケーブル３７が引かれると、テーパ部３７ｃと挟持部５４とが係合させられているので、シャッタ部材５０は、図１の矢印Ａ方向に押されてカバー部４０に押し付けられる。したがって、それ以上、電源ケーブル３７を引くことができないので、電源ケーブル３７が電源コネクタ３０から外れる方向へ移動することがなく、ケーブル抜けが発生するのを防止することができる。
【００５６】
このように、本実施の形態においては、電源コネクタ３０と電源ケーブル３７とが連結された状態でテーパ部３７ｃと挟持部５４とが係合させられるので、ケーブル抜けが発生するのを防止することができ、電源コネクタ３０と電源ケーブル３７とを確実に連結することができる。
【００５７】
また、結合ピンの結合穴への嵌入が不十分であり、電源コネクタ３０と電源ケーブル３７とを確実に連結することができない場合は、シャッタ部材５０を閉じることができないので、電源ケーブル３７が抜けやすい状態であることが分かる。したがって、ケーブル抜けが発生するのを未然に防止することができる。
【００５８】
さらに、電源コネクタ３０と電源ケーブル３７とが連結されていないときは、シャッタ部材５０によって開口部４１が閉じられているので、ほこり等の異物が筐体Ｃｓ内に進入するのを防止することができる。
【００５９】
そして、シャッタ部材５０と凸部４２とが係合させられるので、シャッタ部材５０が紛失するのを防止することができる。
【００６０】
次に、本発明の第２の実施の形態について説明する。なお、第１の実施の形態と同じ構造を有するものについては、同じ符号を付与し、同じ構造を有することによる発明の効果については同実施の形態の効果を援用する。
【００６１】
図６は本発明の第２の実施の形態におけるケーブル抜止め構造の第１の状態を示す側面図、図７は本発明の第２の実施の形態におけるケーブル抜止め構造の第２の状態を示す側面図、図８は本発明の第２の実施の形態におけるシャッタ部材の斜視図である。
【００６２】
この場合、主開閉部材としてのシャッタ部材５０の内面における所定の箇所、本実施の形態においては、上端部に、突片としてのブラケット１１２が連結要素収容室Ｒｍ内に向けて突出させて形成され、前記ブラケット１１２の先端に、第１の係合要素としての係合ピン５６が形成される。
【００６３】
また、筐体Ｃｓ内の所定の部材、本実施の形態においては、筐体内支持体Ｆｒに電源スイッチ３８が取り付けられ、該電源スイッチ３８の本体、すなわち、スイッチ本体３８ａに対して揺動体としてのトグル３８ｂが揺動自在に支持され、該トグル３８ｂの先端に、第２の係合要素とのしての係合ピン６６が形成される。
【００６４】
そして、筐体Ｃｓ内においてカバー部４０と隣接させて、連結部としてのリンクアーム６１が、図示されないフレームに形成された支持部としてのリンクピン６０を揺動支点として揺動自在に支持される。前記リンクアーム６１の一端には、第１の被係合要素としての長溝状の被係合穴ｈ１が、他端には、第２の被係合要素としての長溝状の被係合穴ｈ２が形成され、前記結合ピン５６と被係合穴ｈ１とが摺動自在に係合させられ、前記結合ピン６６と被係合穴ｈ２とが摺動自在に係合させられる。
【００６５】
また、前記筐体Ｃｓの第１の側壁Ｐｃ（図３）の所定の箇所に、電源操作部としてのスイッチ（本実施の形態においては、シーソースイッチ）７０が配設される。そして、該スイッチ７０と係合ピン６６とが連結部材としてのリンクバー６２を介して連結される。
【００６６】
したがって、スイッチ７０を操作することによって、電源スイッチ３８のオン・オフ動作を行うことができる。また、電源スイッチ３８のオン・オフ動作に連動させてシャッタ部材５０を上下方向に移動させ、開口部４１を開閉することができる。
【００６７】
そのために、前記シャッタ部材５０において、取手５０ａより上方に閉鎖部１０１が、取手５０ａより下方の幅方向における中央に、第１の連結要素としての電源コネクタ３０と第２の連結要素としての電源ケーブル３７とを連結したときに電源ケーブル３７のヘッド３７ｘが収容されるヘッド収容部１０２が、該ヘッド収容部１０２の両側にヘッド保持部１０３が形成される。
【００６８】
該ヘッド保持部１０３には、ヘッド収容部１０２に臨ませて、ケーブル抜けが発生するのを防止するための第２の抜止め部としての、かつ、第２の係合部としての挟持部５４が上下方向に延在させて形成され、該挟持部５４に係合面としての傾斜面５４ａが形成され、該傾斜面５４ａの下端部には、ヘッド収容部１０２内にヘッド３７ｘを誘導する誘い込み部５５が形成される。
【００６９】
また、前記挟持部５４には、上下方向に延在させて案内部としてのガイド溝５８が形成され、該ガイド溝５８に沿って、副開閉部材としてのシャッタ５７が上下方向（図８における矢印方向）に移動自在に、かつ、挟持部５４に対して摺動自在に配設され、ヘッド収容部１０２を開閉する。前記シャッタ５７は、閉鎖部１２１、及び該閉鎖部１２１の上端に、連結要素収容室Ｒｍ内に向けて突出させて形成された突片１２２を備え、シャッタ５７の最下位置で突片１２２がシャッタ部材５０の突片５０ｃに当接させられる。なお、前記閉鎖部１２１は、ヘッド収容部１０２を閉じたときにヘッド収容部１０２を十分に覆うことができるように所定の寸法を有する。
【００７０】
次に、前記構成の抜止め構造の動作について説明する。
【００７１】
まず、操作者が、前記スイッチ７０を操作して、画像形成装置としてのプリンタＰｒの電源が遮断される位置、すなわち、オフ位置（図６に示される状態）に置くと、リンクバー６２が下方に移動させられ、トグル３８ｂが回動させられ、電源スイッチ３８がオフにされる。そして、リンクアーム６１が図６における反時計回りに回動させられ、シャッタ部材５０は上方に移動させられ、カバー部４０の開口部４１が開かれる。このとき、電源コネクタ３０と電源ケーブル３７とを連結することができる。
【００７２】
続いて、操作者が、電源ケーブル３７の結合部４７を連結要素収容室Ｒｍ内に挿入すると、前記電源コネクタ３０内の結合ピンが結合部４７内の結合穴に嵌入され、電源コネクタ３０と電源ケーブル３７とが連結され、スイッチ７０を操作して、プリンタＰｒの電源が投入される位置、すなわち、オン位置（図７に示される状態）に置くと、リンクバー６２が上方に移動させられ、トグル３８ｂが回動させられ、電源スイッチ３８がオンにされる。このとき、リンクアーム６１が図６における時計回りに回動させられ、シャッタ部材５０は下方に移動させられるが、結合ピンの結合穴への嵌入が十分であり、電源コネクタ３０と電源ケーブル３７とが確実に連結されている場合は、カバー部４０の開口部４１が閉じられ、ヘッド収容部１０２内にヘッド３７ｘが収容される。この状態で、前記テーパ部３７ｃと挟持部５４とが係合させられる。なお、シャッタ５７は電源ケーブル３７に接触するので、下方に移動させられず、シャッタ部材５０だけが下方に移動させられる。
【００７３】
これに対して、結合ピンの結合穴への嵌入が不十分であり、電源コネクタ３０と電源ケーブル３７とが確実に連結されていない場合は、大端部３７ａにヘッド保持部１０３が当たり、シャッタ部材５０を下方に移動させることができず、開口部４１を閉じることができない。
【００７４】
また、電源スイッチ３８がオンの状態で電源ケーブル３７が引かれると、テーパ部３７ｃと挟持部５４とが係合させられているので、シャッタ部材５０はカバー部４０に押し付けられる。したがって、それ以上、電源ケーブル３７を引くことができないので、電源ケーブル３７が電源コネクタ３０から外れる方向に移動することがなく、ケーブル抜けが発生するのを防止することができる。
【００７５】
さらに、操作者が、電源コネクタ３０と電源ケーブル３７とを連結することなく、スイッチ７０を操作してオン位置に置くと、図７に示されるように、リンクバー６２が上方に移動させられ、リンクアーム６１が時計回りに回動させられ、シャッタ部材５０は下方に移動させられる。このとき、シャッタ５７は電源ケーブル３７に接触しないので、シャッタ部材５０と共に下方に移動させられ、開口部４１を閉じる。
【００７６】
なお、スイッチ７０がオン位置に置かれると、トグル３８ｂが回動させられ、電源スイッチ３８がオンにされるが、開口部４１が閉じられるので、電源コネクタ３０と電源ケーブル３７とを連結することができない。したがって、電源スイッチ３８がオンにされた状態で電源コネクタ３０と電源ケーブル３７とが連結されることはない。
【００７７】
このように、本実施の形態においては、スイッチ７０とトグル３８ｂとがリンクバー６２を介して連結され、トグル３８ｂとシャッタ部材５０とがリンクアーム６１を介して連結されるので、誤ってスイッチ７０がオン位置に置かれても、開口部４１が閉じられた状態にされる。したがって、電源スイッチ３８がオンにされた状態で電源コネクタ３０と電源ケーブル３７とが連結されるのを防止することができる。
【００７８】
前記各実施の形態においては、プリンタＰｒについて説明しているが、本発明を複写機、ファクシミリ、複合機等の画像形成装置に適用したり、電源コネクタと電源ケーブルとの連結を必要とする機器に適用したりすることができる。
【００７９】
なお、本発明は前記各実施の形態に限定されるものではなく、本発明の趣旨に基づいて種々変形させることが可能であり、それらを本発明の範囲から排除するものではない。
【符号の説明】
【００８０】
３０    電源コネクタ
３７    電源ケーブル
３７ｃ    テーパ部
４１    開口部
５０    シャッタ部材
５４    挟持部
Ｃｓ    筐体
【図１】
2013114176.tif 000003
【図２】
2013114176.tif 000004
【図３】
2013114176.tif 000005
【図４】
2013114176.tif 000006
【図５】
2013114176.tif 000007
【図６】
2013114176.tif 000008
【図７】
2013114176.tif 000009
【図８】
2013114176.tif 000010